(57)【特許請求の範囲】
【請求項１】
外郭を構成する筐体と、
前記筐体内に配置された圧縮機、空気冷媒熱交換器及び水冷媒熱交換器を有する回路であって、前記空気冷媒熱交換器に外気を送風する送風機が付設され、前記圧縮機により冷媒を循環させて前記水冷媒熱交換器により加熱対象水を加熱する冷媒回路と、
前記筐体内の空間を仕切る部材であって、前記圧縮機が収容された機械室と前記空気冷媒熱交換器及び前記送風機が収容された送風機室とを前記筐体内に形成する仕切板と、
少なくとも前記冷媒回路を制御するために前記機械室内に配置され、基板に複数の電気部品が搭載された電装品搭載体と、
前記基板に搭載された前記複数の電気部品の一部であって、少なくとも前記圧縮機に通電する発熱性電気部品と、
前記仕切板または前記筐体により構成された前記機械室の壁面に設けられ、前記電装品搭載体の前記基板及び前記複数の電気部品を当該壁面から離間させた状態で支持する支持部材と、
前記機械室の壁面に設けられ、周囲の部位よりも前記発熱性電気部品に向けて突出した凸部と、
熱伝導性及び緩衝性を有する材料により形成され、前記凸部の先端面と前記発熱性電気部品とに密着して前記発熱性電気部品を前記機械室の壁面に熱伝導可能に接続する伝熱緩衝部材と、
を備えたヒートポンプ室外機。
【請求項２】
前記発熱性電気部品は、前記電装品搭載体を構成する基板の一側面と他側面のうち前記機械室の壁面に近い一側面に搭載し、他の電気部品は、前記基板の他側面に搭載する構成としてなる請求項１に記載のヒートポンプ室外機。
【請求項３】
前記発熱性電気部品は、前記圧縮機の作動状態を制御するインバータモジュールであり、前記インバータモジュールには、ワイドギャップ半導体を用いてなる請求項１または２に記載のヒートポンプ室外機。
【請求項４】
前記電装品搭載体は、前記圧縮機の上側で前記機械室の壁面に取付け、上方にスライドさせることにより当該壁面から取外すことが可能な構成としてなる請求項１乃至３のうち何れか１項に記載のヒートポンプ室外機。
【発明の詳細な説明】
【技術分野】
【０００１】
本発明は、ヒートポンプ室外機に関し、特に、電装品搭載体を備えたヒートポンプ室外機に関する。
【背景技術】
【０００２】
従来技術として、例えば特許文献１に記載されているように、電装品収納箱を備えた室外機が知られている。従来技術では、圧縮機等の駆動制御等を行うインバータ基板を電装品収納箱に収容している。一般に、インバータ基板は、圧縮機等を制御する際の発熱量が多く、また、耐熱性にも限界がある。このため、従来技術では、インバータ基板に大型の放熱部品（複数の放熱フィン）を密着させた上で、この放熱部品を外気が流通する送風機室に配置し、インバータ基板の温度を抑制するようにしている。
【先行技術文献】
【特許文献】
【０００３】
【特許文献１】特開平９−２３６２８１号公報
【発明の概要】
【発明が解決しようとする課題】
【０００４】
従来技術では、インバータ基板の発熱量の多さ及び耐熱性の限界を考慮して、大型または多数の放熱部品をインバータ基板に密着させて送風機室に設置する必要がある。このため、従来技術では、インバータ基板に関連した部品のコストや重量が増加する上に、大型の放熱部品によって周囲の部品レイアウトが制限されるという問題がある。また、インバータ基板を故障等により交換する場合には、放熱部品も含めて交換が必要となる場合があり、部品コストや修理の工数が増加するという問題がある。また、仮にインバータ基板だけを放熱部品等から取外して修理する場合でも、インバータ基板を再び取付けるときに放熱部品との密着度を十分に確保しないと、インバータ基板の放熱性が低下して基板の損傷等を招く場合があり、インバータ基板の取付作業に手間がかかるという問題がある。
【０００５】
本発明は、上述のような課題を解決するためになされたもので、大型の放熱部品等を搭載しなくても、筐体内の構造物を利用して発熱性電気部品を効率よく冷却し、高い冷却性能を実現することが可能なヒートポンプ室外機を提供することを目的とする。
【課題を解決するための手段】
【０００６】
本発明に係るヒートポンプ室外機は、外郭を構成する筐体と、筐体内に配置された圧縮機、空気冷媒熱交換器及び水冷媒熱交換器を有する回路であって、空気冷媒熱交換器に外気を送風する送風機が付設され、圧縮機により冷媒を循環させて水冷媒熱交換器により加熱対象水を加熱する冷媒回路と、筐体内の空間を仕切る部材であって、圧縮機が収容された機械室と空気冷媒熱交換器及び送風機が収容された送風機室とを筐体内に形成する仕切板と、少なくとも冷媒回路を制御するために機械室内に配置され、基板に複数の電気部品が搭載された電装品搭載体と、基板に搭載された複数の電気部品の一部であって、少なくとも圧縮機に通電する発熱性電気部品と、仕切板または筐体により構成された機械室の壁面に設けられ、電装品搭載体の基板及び複数の電気部品を当該壁面から離間させた状態で支持する支持部材と、機械室の壁面に設けられ、周囲の部位よりも発熱性電気部品に向けて突出した凸部と、熱伝導性及び緩衝性を有する材料により形成され、凸部の先端面と発熱性電気部品とに密着して発熱性電気部品を機械室の壁面に熱伝導可能に接続する伝熱緩衝部材と、を備えるものである。
【発明の効果】
【０００７】
本発明によれば、発熱性電気部品から発生する熱を、面積が大きな機械室の壁面に伝導させることができ、機械室の壁面を利用して発熱性電気部品の放熱を効率よく行うことができる。従って、発熱性電気部品を冷却する大型の放熱フィンや専用の冷却機構等が不要となり、放熱フィンを小型化または廃止することができるので、電装品搭載体に関連した部品の点数や重量を削減することができる。これにより、ヒートポンプ室外機の冷却効率を向上しつつ、その小型軽量化を促進し、筐体内の部品レイアウトを容易に行うことができる。
【図面の簡単な説明】
【０００８】
【図１】本発明の実施の形態１において、ヒートポンプ室外機の外観を示す斜視図である。
【図２】筐体を取外した状態のヒートポンプ室外機を示す正面図である。
【図３】インバータ基板の取付状態を示す拡大図である。
【図４】本発明の実施の形態２において、インバータ基板の取付状態を図２と同様位置からみた拡大図である。
【発明を実施するための形態】
【０００９】
実施の形態１．
以下、図１乃至図３を参照して、本発明の実施の形態１について説明する。なお、各図においては、共通する要素に同一の符号を付し、重複する説明を省略するものとする。図１は、本発明の実施の形態１において、ヒートポンプ室外機の外観を示す斜視図である。ここで、図１（ａ）及び（ｂ）は、それぞれヒートポンプ室外機を斜め前方及び斜め後方からみた状態を示している。また、図２は、筐体を取外した状態のヒートポンプ室外機を示す正面図である。
【００１０】
図１に示すように、ヒートポンプ室外機は、その外郭を構成する箱形状の筐体１を備えている。筐体１は、それぞれ平坦な金属板等により形成された前面部１Ａ、後面部１Ｂ、左側面部１Ｃ、右側面部１Ｄ、上面部１Ｅ及び底面部１Ｆ（図２参照）により構成されている。筐体１の内部には、図２に示すように、上下方向及び前後方向に伸長した平板状の仕切板２が設けられている。仕切板２は、筐体１内の空間を水平方向の一側と他側（右側と左側）に仕切るもので、筐体１の内部には、仕切板２により右側の機械室３と左側の送風機室４とが形成されている。より詳しく述べると、仕切板２は、その四辺が筐体１の前面部１Ａ、後面部１Ｂ、上面部１Ｅ及び底面部１Ｆに接触した状態で配置されている。このため、機械室３と送風機室４とは、配管や電線等を挿通する小さな挿通穴を除いて、仕切板２により相互に遮断されている。
【００１１】
また、筐体１内には、冷媒を循環させて加熱対象水を加熱する公知の冷媒回路５が設けられている。冷媒回路５は、後述の圧縮機６、空気冷媒熱交換器７、水冷媒熱交換器８及び膨張弁（図示せず）と、これらの機器を環状に接続する冷媒配管とを備えている。圧縮機６は、冷媒を吸込んで吐出することにより、冷媒回路５に冷媒を循環させるもので、駆動源となるモータを備えている。そして、圧縮機６は、機械室３の下部側に収容され、筐体１の底面部１Ｆ上に設置されている。また、圧縮機６の吸込側には吸入管９が接続され、圧縮機６の吐出側には吐出管１０が接続されている。これらの配管９，１０は前記冷媒配管の一部を構成している。
【００１２】
空気冷媒熱交換器７は、冷媒配管を流通する冷媒と空気との間で熱交換を行うもので、複数回往復するように屈曲した長尺な冷媒配管と、当該冷媒配管に固着された多数の金属フィンとを備えている。空気冷媒熱交換器７は、全体として略平板状に形成され、送風機室４の後部側（前後方向の一側）に収容されている。また、送風機室４の前部側（前後方向の他側）には、空気冷媒熱交換器７に外気を送風する送風機１１が収容されている。送風機１１は、複数枚のプロペラ翼と当該プロペラ翼を回転駆動するモータとを備えており、その回転数に応じて空気冷媒熱交換器７を通過する空気量（送風量）を変化させる。これにより、空気冷媒熱交換器７における空気と冷媒との熱交換量は、送風機１１の回転数に応じて調整される。なお、送風機室４は、風路を確保するために機械室３よりも大きな容積をもって形成されている。
【００１３】
水冷媒熱交換器８は、外部の貯湯タンク等から供給される水（加熱対象水）と冷媒との間で熱交換を行うもので、１次側となる冷媒流入口及び冷媒流出口と、２次側となる水流入口及び水流出口とを有している。そして、水冷媒熱交換器８は、送風機室４の下部側に収容され、筐体１の底面部１Ｆ上に設置されている。なお、水冷媒熱交換器８は、後述の水流入配管と冷媒配管とを密着させ、これらを略直方体形状の容器に収納することにより構成されている。一方、冷媒回路５の膨張弁は、外部からの通電状態に応じて冷媒の流路抵抗を調節し、冷媒圧力を減圧するもので、圧縮機６や冷媒配管と共に機械室３に収容されている。
【００１４】
次に、冷媒回路５の回路構成について説明する。まず、圧縮機６の吐出側は、吐出管１０を介して水冷媒熱交換器８の冷媒流入口に接続されている。また、水冷媒熱交換器８の冷媒流出口は、冷媒配管及び膨張弁を介して空気冷媒熱交換器７の冷媒流入口に接続され、空気冷媒熱交換器７の冷媒流出口は、吸入管９を介して圧縮機６の吸込側に接続されている。そして、このように環状に接続された冷媒回路５には、ＣＯ２冷媒等の冷媒が封入されている。
【００１５】
一方、筐体１の右側面部１Ｄには、水入口バルブ１２と給湯出口バルブ１３とが設けられ、これらのバルブ１２，１３はサービスパネル１４（図１参照）により保護されている。そして、水入口バルブ１２は、水流入配管を介して水冷媒熱交換器８の水流入口に接続され、給湯出口バルブ１３は、給湯配管を介して水冷媒熱交換器８の水流出口に接続されている。また、水入口バルブ１２と給湯出口バルブ１３は、外部配管を介して数百リットル程度の容量をもつ貯湯タンクに個別に接続される。筐体１内には、上記各配管を介して水冷媒熱交換器８と貯湯タンクとの間で水を循環させるための水ポンプが搭載されている。なお、貯湯タンク、外部配管、水流入配管、給湯配管及び水ポンプは、図示を省略している。このように、ヒートポンプ室外機は、貯湯タンクを備えた外部の貯湯装置と接続した状態で使用される。
【００１６】
次に、ヒートポンプ室外機に搭載された電装品搭載体としてのインバータ基板１５について説明する。インバータ基板１５には、例えば抵抗、コンデンサ等の回路部品や半導体等の電子部品を含む複数の電気部品が搭載されている。これらの電気部品には、圧縮機６を駆動する発熱性電気部品としてのインバータモジュール１６と、送風機１１、水ポンプ、膨張弁等をそれぞれ駆動する複数のモジュール（送風機用モジュール、水ポンプ用モジュール、膨張弁用モジュール）とが含まれている。そして、インバータ基板１５は、ヒートポンプ室外機の設置環境、使用条件等に基いて、圧縮機６の回転数、送風機１１の回転数及び膨張弁の開度を制御する。なお、本実施の形態では、１つのインバータ基板１５により圧縮機６の回転数、送風機１１の回転数及び膨張弁の開度を制御する構成としたが、本発明はこれに限らず、上記各電気部品を複数の基板に分けて搭載し、インバータ基板１５は、圧縮機６のみを駆動制御する構成としてもよい。
【００１７】
インバータ基板１５は、圧縮機６の上側で機械室３内の上端部に収容され、仕切板２に対して平行に配置された縦置き状態（上下方向及び前後方向に延びた状態）で支持部材１７により仕切板２に取付けられている。図３は、インバータ基板の取付状態を示す拡大図である。詳しく述べると、図３（ａ）は、図２中のインバータ基板を拡大して示すものであり、図３（ｂ）は、インバータ基板を筐体の右側方からみた状態を示している。これらの図に示すように、支持部材１７は、例えば四角形の平板状に形成されたインバータ基板１５の四辺のうち、上縁部を除く３辺（前縁部、後縁部及び下縁部）を取囲む略コ字状の枠状体として形成され、仕切板２に垂直に立設されている。そして、支持部材１７の内側面には、仕切板２から離間した位置で内側面に沿って略コ字状に延びる係合溝１７Ａが形成され、インバータ基板１５は、この係合溝１７Ａに係合されている。
【００１８】
これにより、インバータ基板１５は、仕切板２に対して一定の距離だけ離間した状態で仕切板２と平行に支持されると共に、仕切板２に着脱可能に取付けられている。即ち、支持部材１７は、インバータ基板１５と仕切板２との間に隙間を確保するスペーサとしての機能を有している。また、電気系統の修理等を行うときには、インバータ基板１５を支持部材１７の係合溝１７Ａ内で上向きにスライドさせつつ、支持部材１７から上方に引抜くことにより、インバータ基板１５を仕切板２から取外すことが可能となっている。
【００１９】
また、インバータ基板１５は、図２に示すように、例えば仕切板２に取付けられた略箱形状の電装品収納箱１８内に収容されている。なお、インバータ基板１５は、支持部材１７により仕切板２に取付けられているので、電装品収納箱１８には取付けられていない。また、電装品収納箱１８内には、インバータ基板１５を含めて複数の基板を収容する構成としてもよい。この場合には、インバータ基板１５を仕切板２に最も近接した位置に設置すればよい。また、電装品収納箱１８の右側下部には、インバータ基板１５等に搭載された電気回路を外部の電気配線に接続する端子台１８Ａが設けられている。この端子台１８Ａはサービスパネル１４内に配置され、サービスパネル１４により保護されている。電装品収納箱１８は、端子台１８Ａを介して外部から電力の供給を受けたり、外部の機器に制御信号を出力することができる。
【００２０】
一方、インバータモジュール１６は、図３に示すように、インバータ基板１５の一側面と他側面のうち仕切板２と対向（近接）する一側面に搭載されている。また、インバータ基板１５に搭載された電気部品のうち、インバータモジュール１６を除いた他の電気部品は、インバータ基板１５の他側面に搭載されている。インバータ基板１５には、一側面及び他側面に開口する配線挿通穴１５Ａが形成されており、インバータモジュール１６は、配線挿通穴１５Ａに挿通された配線等を介して他の電気部品と接続されている。
【００２１】
また、インバータモジュール１６は、図３（ａ）に示すように、機械室３の壁面を構成する仕切板２に密着（面接触）した状態で配置されている。より詳しく述べると、平板状をなす仕切板２には、インバータモジュール１６に対応する位置に凸部１９が形成されている。凸部１９は、周囲の部位（凸部１９以外の部位）よりもインバータモジュール１６に向けて突出し、インバータモジュール１６と密着している。これにより、インバータモジュール１６は、仕切板２に熱伝導可能な状態に保持されている。インバータモジュール１６は、通電電流が大きい圧縮機６の駆動制御に使用されるので発熱量が大きいが、インバータモジュール１６から発生する熱は、凸部１９を介して大きな面積をもつ仕切板２に伝導される。即ち、仕切板２は、インバータモジュール１６の放熱部材として機能する。
【００２２】
また、インバータモジュール１６は、例えばモータの回転数制御等に用いられる一般的なインバータ回路をパッケージ化したもので、スイッチング素子及び／又はダイオード素子（以下、これらをまとめてスイッチング素子と称す）を備えている。このスイッチング素子には、ワイドバンドギャップ半導体が用いられている。ワイドバンドギャップ半導体とは、シリコンと比較してバンドギャップ（禁制帯）の幅が大きい半導体の総称であり、具体例としては、炭化珪素（ＳｉＣ）、窒化ガリウム（ＧａＮ）、ダイヤモンド等が知られている。本実施の形態では、例えばＳｉＣ半導体を用いてインバータモジュール１６を構成し、インバータモジュール１６により圧縮機６の回転数を制御するようにしている。
【００２３】
本実施の形態によるヒートポンプ室外機は上述の如き構成を有するもので、次に、貯湯タンク内の水（湯）を加熱する沸上げ運転を例に挙げて、ヒートポンプ室外機の動作について説明する。沸上げ運転では、まず、インバータモジュール１６により圧縮機６が駆動され、圧縮機６により冷媒の圧縮動作が行われる。これにより、冷媒は、低圧な状態で吸入管９から圧縮機６に吸込まれ、高圧となって吐出管１０に吐出される。この冷媒は、水冷媒熱交換器８に流入し、水冷媒熱交換器８内で２次側の水と熱交換することにより、水を加熱する。そして、水を加熱してエンタルピが低下した冷媒は、膨張弁により減圧されて低温低圧となった状態で空気冷媒熱交換器７に流入し、空気冷媒熱交換器７内で空気と熱交換する。これにより、エンタルピが増加した冷媒は、吸入管９から圧縮機６に再び吸込まれる。このように、冷媒回路５を冷媒が循環し、ヒートポンプサイクルが行われる。
【００２４】
一方、沸上げ運転時には、圧縮機６と共に前記水ポンプが駆動される。水ポンプが作動すると、貯湯タンク内の水が外部配管に流出し、この水は水入口バルブ１２、水流入配管等を介して水冷媒熱交換器８に流入することにより、水冷媒熱交換器８内で加熱されて高温水となる。そして、この高温水は、水冷媒熱交換器８から給湯配管に流出し、給湯出口バルブ１３、他の外部配管等を介して貯湯タンク内に流入する。これにより、貯湯タンク内の水を加熱する沸上げ運転が実行される。また、冷媒回路５の作動時には、送風機１１が作動し、例えば筐体１の後面部１Ｂに設けられた吸気口から送風機室４内に外気が吸込まれる。この空気は、冷却風となって空気冷媒熱交換器７（送風機室４）を後方から前方に向けて通過した後に、筐体１の前面部１Ａに設けられた排気口から外部に排出される。
【００２５】
上記沸上げ運転を含めて、ヒートポンプ室外機の作動時には、インバータモジュール１６により圧縮機６の回転数が数十〜百ｒｐｓ（Ｈｚ）程度の所定範囲内で制御される。これにより、インバータモジュール１６は、冷媒回路５を循環する冷媒の循環速度及び流量を変化させ、沸上げ能力を制御する。また、水ポンプ用モジュールは、水ポンプの回転数を数百ｒｐｍ〜千ｒｐｍ程度の所定範囲内で制御し、膨張弁用モジュールは、膨張弁の開度を所定の開度範囲内で制御する。送風機用モジュールは、送風機１１の回転数を数百ｒｐｍ〜千ｒｐｍ程度の所定範囲内で変化させ、空気冷媒熱交換器７における空気と冷媒との熱交換量を制御する。
【００２６】
次に、本実施の形態の効果について説明する。本実施の形態では、インバータモジュール１６を仕切板２の凸部１９に密着させる構成としている。これにより、インバータモジュール１６から発生する熱を、面積が大きな仕切板２に伝導させることができ、仕切板２を利用してインバータモジュール１６の放熱を効率よく行うことができる。しかも、仕切板２は、送風機室４内を流れる冷却風と接触し、この冷却風（外気）に放熱することができるので、放熱効果をより高めることができる。従って、本実施の形態では、インバータモジュール１６を冷却する大型の放熱フィンや専用の冷却機構等が不要となり、放熱フィンを小型化または廃止することができるので、インバータ基板に関連した部品の点数や重量を削減することができる。これにより、ヒートポンプ室外機の冷却効率を向上しつつ、その小型軽量化を促進し、筐体１内の部品レイアウトを容易に行うことができる。
【００２７】
また、本実施の形態では、インバータ基板１５の一側面と他側面のうち仕切板２と対向する一側面にインバータモジュール１６を搭載し、インバータ基板１５を支持部材１７により仕切板２から離間した状態に保持し、かつ、仕切板２の凸部１９をインバータモジュール１６と密着させる構成としている。これにより、インバータ基板１５の一側面に高さ寸法が異なる複数の電気部品を搭載した場合でも、凸部１９の突出寸法を調整することでインバータモジュール１６のみを仕切板２と密着させることができ、他の部品と比較して発熱量が大きいインバータモジュール１６だけを仕切板２により選択的に冷却することができる。そして、仕切板２と接触させる必要がない電気部品は、インバータ基板１５と仕切板２との間に収納することができる。さらに、本実施の形態では、インバータモジュール１６をインバータ基板１５の一側面に搭載し、他の電気部品をインバータ基板１５の他側面に搭載しているので、インバータモジュール１６の熱が他の電気部品に伝導するのを抑制し、インバータ基板１５全体の耐熱性を向上させることができる。
【００２８】
また、インバータ基板１５の修理、交換等を行う場合には、インバータ基板１５を支持部材１７から上方に引抜く（スライドさせる）だけで、インバータ基板１５を仕切板２側から容易に取外すことができる。これにより、放熱部材等の余分な部品を含めてインバータ基板１５を取外す必要がないので、部品コストや修理の工数を低減することができる。また、インバータ基板１５の取付作業においても、インバータ基板１５を支持部材１７の係合溝１７Ａに挿入して下向きにスライドさせるだけで、インバータモジュール１６と仕切板２の凸部１９とを確実に密着させることができ、インバータモジュール１６の放熱機能を容易に再現することができる。
【００２９】
一方、本実施の形態では、インバータモジュール１６を、ＳｉＣ半導体（ワイドバンドギャップ半導体）により構成している。インバータモジュール１６は、通電電流が大きい圧縮機６の駆動制御を行うことで発熱量が大きくなる。しかし、ＳｉＣ半導体等のワイドバンドギャップ半導体により形成されたスイッチング素子は、低抵抗であるために発熱量が抑制され、耐熱性が高いので、大型の放熱フィンや冷却機構を付設する必要がない。従って、極端な低温にはならない送風機室４内の空気を冷却風として用いた場合でも、インバータモジュール１６の温度を許容される上限温度以下に抑制することができる。また、夏季等のように外気温が高い場合には、インバータモジュール１６の冷却効率が低下するが、このような高温でも、耐熱性が高いＳｉＣ半導体は、圧縮機６の駆動制御を安定的に行うことができる。
【００３０】
従って、本実施の形態のように、仕切板２（送風機室４内の空気）により冷却する発熱性電気部品にワイドバンドギャップ半導体を用いる構成とすれば、空冷式の冷却システムを安定的に実現することができる。また、ワイドバンドギャップ半導体により形成されたスイッチング素子は、高い耐電圧を有し、許容電流密度も高い上に、電力損失が小さい。これにより、インバータモジュール１６を小型化することができると共に、インバータモジュール１６の高効率化が可能となり、室外機の運転効率を向上させることができる。
【００３１】
更に言えば、本実施の形態のように、ワイドバンドギャップ半導体により構成されたインバータモジュール１６を用いる場合には、仕切板２をインバータモジュール１６に直接接触させる構成としなくてもよい。即ち、インバータモジュール１６と仕切板２とを至近距離で対向させておくだけで、空気を介した熱伝導によりインバータモジュール１６から仕切板２に適度に放熱することができる。そして、インバータモジュール１６は、この程度の冷却状態でも、安定的に作動することができる。
【００３２】
実施の形態２．
次に、図４を参照して、本発明の実施の形態２について説明する。本実施の形態は、前記実施の形態１に対して、インバータモジュールと仕切板との間に熱伝導性及び緩衝性を有する部材を介在させることを特徴としている。なお、本実施の形態では、実施の形態１と同一の構成要素に同一の符号を付し、その説明を省略するものとする。
【００３３】
図４は、本発明の実施の形態２において、インバータ基板の取付状態を図２と同様位置からみた拡大図である。図４（ａ）は、筐体の前方からみたインバータ基板を拡大して示すものであり、図４（ｂ）は、インバータ基板を筐体の右側方からみた状態を示している。本実施の形態では、インバータモジュール１６と仕切板２との間に伝熱緩衝部材２０が配置されている。伝熱緩衝部材２０は、高い熱伝導性及び緩衝性を有する材料により形成され、例えば仕切板２に取付けられると共に、仕切板２とインバータモジュール１６の両方に密着（面接触）している。なお、伝熱緩衝部材２０は、インバータモジュール１６に取付ける構成としてもよい。また、図４（ａ）では、実施の形態１で述べた凸部１９を設けていない仕切板２を例示したが、例えば仕切板２に凸部１９を設けて、凸部１９の先端面に伝熱緩衝部材２０を取付ける構成としてもよい。
【００３４】
このように、本実施の形態では、インバータモジュール１６から伝熱緩衝部材２０を介して仕切板２への熱伝導が可能な構成としている。このように構成される本実施の形態でも、前記実施の形態１とほぼ同様の作用効果を得ることができる。また、緩衝性を有する伝熱緩衝部材２０を介在させることにより、インバータモジュール１６と仕切板２との間に形成される熱伝導経路の状態を安定させることができる。即ち、両者の位置関係のばらつき（寸法誤差、組付誤差等）によりインバータモジュール１６の放熱性能にばらつきが生じるのを防止することができる。
【００３５】
また、インバータ基板１５の着脱作業時には、インバータ基板１５を支持部材１７に対して上下方向にスライドさせるが、このときにインバータモジュール１６が仕切板２と擦れて損傷するのを伝熱緩衝部材２０により抑制することができる。また、ヒートポンプ室外機の運転中にも、圧縮機６等の振動によりインバータモジュール１６と仕切板２とが直接衝突するのを防止することができる。従って、本実施の形態によれば、伝熱緩衝部材２０によりインバータモジュール１６を保護し、その耐久性を高めることができる。
【００３６】
なお、前記実施の形態１，２では、インバータモジュール１６を仕切板２に直接または間接的に接触させる構成とした。しかし、本発明はこれに限らず、例えば仕切板２以外の機械室３の壁面に対して、インバータモジュール１６を直接接触させたり、伝熱緩衝部材２０を介して熱伝導可能に接続する構成としてもよい。ここで、仕切板２以外の機械室３の壁面とは、筐体１の前面部１Ａ、後面部１Ｂ、右側面部１Ｄ、上面部１Ｅ及び底面部１Ｆの何れかを意味している。この構成でも、面積が大きな金属板である機械室３の壁面を利用して、インバータモジュール１６の放熱を効率よく行うことができ、高い冷却性能を得ることができる。
【００３７】
また、前記実施の形態１，２では、電装品搭載体としてインバータ基板１５を例示したが、本発明は、基板以外の電装品搭載体にも適用されるものであり、例えば箱形状の電装品搭載体に適用してもよい。さらに、本発明において、発熱性電気部品は、インバータモジュール１６に限定されるものではない。即ち、本発明は、通電時に発熱する各種の発熱性電気部品に適用されるものであり、この電気部品には、実施の形態で例示した送風機用モジュール、水ポンプ用モジュール及び膨張弁用モジュールや、大きな抵抗値を有する抵抗体、大容量のコンデンサ等が含まれるものである。
【００３８】
また、前記実施の形態１，２では、ＳｉＣ半導体により構成されたインバータモジュール１６を用いる場合を例示した。しかし、本発明は、ＳｉＣ半導体に限定されるものではなく、例えば窒化ガリウム、ダイヤモンド等を含む他のワイドバンドギャップ半導体を用いて、インバータモジュールを構成してもよい。これらのワイドバンドギャップ半導体によっても、ＳｉＣ半導体を用いた場合とほぼ同様の効果を得ることができる。
【００３９】
さらに、前記実施の形態１，２では、ヒートポンプ室外機により貯湯タンクの水を加熱対象水として沸上げる場合を例示したが、本発明はこれに限らず、例えばヒートポンプ室外機により浴槽の水を加熱対象水として沸上げる（追焚きする）場合に適用してもよい。
【符号の説明】
【００４０】
１  筐体
２  仕切板
３  機械室
４  送風機室
５  冷媒回路
６  圧縮機
７  空気冷媒熱交換器
８  水冷媒熱交換器
１１  送風機
１５  インバータ基板（電装品搭載体）
１６  インバータモジュール（発熱性電気部品）
１７  支持部材
１７Ａ  係合溝
１８  電装品収納箱
１９  凸部
２０  伝熱緩衝部材
【図１】
0005609832.tif 000002
【図２】
0005609832.tif 000003
【図３】
0005609832.tif 000004
【図４】
0005609832.tif 000005